(57)【特許請求の範囲】
【請求項１】
玄関スペースの土間から所定間隔を隔てて該玄関スペースの一壁面に沿うようにして水平方向に長尺の下端位置決め部材の固定片が固定され、この下端位置決め部材の固定片から前方に突出するように設けられた位置決め片に、上下方向に長尺の複数枚の縦板の下端が載置されてこれら縦板が前記一壁面に沿うようにして固定され、これら縦板の上端部に架け渡されるようにして天板が固定され、これら縦板の各対向側面に両端面が当接されるとともに前記下端位置決め部材の位置決め片に下側面が載置されて前記一壁面に補強桟が固定された構造とされていることを特徴とする玄関収納固定構造。
【請求項２】
請求項１において、
前記一壁面に隣接する他壁面に沿うようにして前記下端位置決め部材が更に固定され、この他壁面側の下端位置決め部材の位置決め片に、上下方向に長尺の他壁面側縦板の下端が載置されて該他壁面側縦板が前記他壁面に沿うようにして更に固定され、この他壁面側縦板の上端部に他壁面側天板が固定されるとともに該他壁面側天板の一側端部が前記一壁面側の天板の他壁面側端部に接続されるようにして固定された構造とされていることを特徴とする玄関収納固定構造。
【請求項３】
玄関スペースの土間から所定間隔を隔てて該玄関スペースの一壁面に沿うようにして水平方向に長尺の下端位置決め部材の固定片が固定され、この下端位置決め部材の固定片から前方に突出するように設けられた位置決め片に、上下方向に長尺の複数枚の縦板の下端が載置されてこれら縦板が前記一壁面に沿うようにして固定され、これら縦板の上端部に架け渡されるようにして天板が固定された構造とされており、
前記一壁面に隣接する他壁面に沿うようにして前記下端位置決め部材が更に固定され、この他壁面側の下端位置決め部材の位置決め片に、上下方向に長尺の他壁面側縦板の下端が載置されて該他壁面側縦板が前記他壁面に沿うようにして更に固定され、この他壁面側縦板の上端部に他壁面側天板が固定されるとともに該他壁面側天板の一側端部が前記一壁面側の天板の他壁面側端部に接続されるようにして固定された構造とされていることを特徴とする玄関収納固定構造。
【請求項４】
請求項２または３において、
前記一壁面側の縦板の一枚が一側板とされて前記他壁面に一側面が沿うようにして固定され、この一側板の先端面及びこの先端面に対向する前記他壁面側縦板の一側面に両端面が当接されるとともに前記他壁面側の下端位置決め部材の位置決め片に下側面が載置されて前記他壁面に補強桟が更に固定された構造とされていることを特徴とする玄関収納固定構造。
【請求項５】
請求項４において、
前記他壁面に固定された補強桟と前記一側板とを略同厚さ寸法としたことを特徴とする玄関収納固定構造。
【請求項６】
玄関スペースの一壁面に沿うように配設される上下方向に長尺の複数枚の縦板と、
これら縦板の上端部に架け渡されるようにして固定される天板と、
前記玄関スペースの土間から所定間隔を隔てて前記一壁面に沿うように配設される水平方向に長尺とされ、かつ前記一壁面に固定される固定片及びこの固定片から前方に突出するように設けられ前記縦板の下端が載置される位置決め片を有した下端位置決め部材と、
前記複数枚の縦板の各対向側面に両端面が当接されるとともに前記下端位置決め部材の位置決め片に下側面が載置されて前記一壁面に固定される補強桟と、を備えていることを特徴とする玄関収納装置。
【請求項７】
玄関スペースの一壁面に沿うように配設される上下方向に長尺の複数枚の縦板と、
これら一壁面側の縦板の上端部に架け渡されるようにして固定される天板と、
前記一壁面に隣接する他壁面に沿うようにして配設される上下方向に長尺の他壁面側縦板と、
この他壁面側縦板の上端部に固定されるとともに一側端部が前記一壁面側の天板の他壁面側端部に接続されるようにして固定される他壁面側天板と、
前記玄関スペースの土間から所定間隔を隔てて前記一壁面及び前記他壁面のそれぞれに沿うように配設される水平方向に長尺とされ、かつ前記各壁面に固定される固定片及びこの固定片から前方に突出するように設けられ前記一壁面側の縦板及び他壁面側縦板の下端が載置される位置決め片を有した下端位置決め部材と、を備えていることを特徴とする玄関収納装置。
【発明の詳細な説明】
【技術分野】
【０００１】
本発明は、住居等の建物の玄関スペースに設けられる玄関収納の固定構造及び玄関収納装置に関する。
【背景技術】
【０００２】
従来より、玄関スペースに設置される玄関収納家具としては、玄関の床面から玄関土間に跨るように配設され、床面に側板等が支持され、玄関土間に支持脚等の支持部材を介して支持される玄関収納家具が知られている。このような玄関収納家具では、玄関土間に支持部材が接地されるため、雨天や清掃等の際における玄関土間の水気によって支持部材に汚損等が生じることが考えられ、また、靴等を収納家具の下方側のスペースに収納する際に支持部材が邪魔になることも考えられる。
下記特許文献１では、壁面に水平方向に延在する如く固定され上方への屈曲部を有するハンギングレールの屈曲部に、側板の奥行方向端部の側面に固定された切り欠き部を有した受け金具を係合させ、該側板を壁面に吊下固定する構造とされた玄関収納家具が提案されている。
【先行技術文献】
【特許文献】
【０００３】
【特許文献１】特許第３９２５６７４号公報
【発明の概要】
【発明が解決しようとする課題】
【０００４】
しかしながら、上記特許文献１に記載された玄関収納家具では、玄関収納家具の奥側内面となる壁面の高さ方向途中位置に屈曲部を有したハンギングレールが水平方向に延在する如く固定されるため、目立ち易くなるという問題があった。また、側板の奥行方向端部に受け金具の切り欠き部に応じた切欠を形成する必要があり、構造が複雑化するという問題もあった。
【０００５】
本発明は、上記実情に鑑みてなされたものであり、玄関スペースの土間から間隔を隔てて見栄え良く固定し得るとともに構造の簡略化を図り得る玄関収納固定構造及び玄関収納装置を提供することを目的としている。
【課題を解決するための手段】
【０００６】
上記目的を達成するために、本発明に係る玄関収納固定構造は、玄関スペースの土間から所定間隔を隔てて該玄関スペースの一壁面に沿うようにして水平方向に長尺の下端位置決め部材の固定片が固定され、この下端位置決め部材の固定片から前方に突出するように設けられた位置決め片に、上下方向に長尺の複数枚の縦板の下端が載置されてこれら縦板が前記一壁面に沿うようにして固定され、これら縦板の上端部に架け渡されるようにして天板が固定され、これら縦板の各対向側面に両端面が当接されるとともに前記下端位置決め部材の位置決め片に下側面が載置されて前記一壁面に補強桟が固定された構造とされていることを特徴とする。
本発明においては、前記一壁面に隣接する他壁面に沿うようにして前記下端位置決め部材が更に固定され、この他壁面側の下端位置決め部材の位置決め片に、上下方向に長尺の他壁面側縦板の下端が載置されて該他壁面側縦板が前記他壁面に沿うようにして更に固定され、この他壁面側縦板の上端部に他壁面側天板が固定されるとともに該他壁面側天板の一側端部が前記一壁面側の天板の他壁面側端部に接続されるようにして固定された構造としてもよい。
【０００７】
また、上記目的を達成するために、本発明に係る玄関収納固定構造は、玄関スペースの土間から所定間隔を隔てて該玄関スペースの一壁面に沿うようにして水平方向に長尺の下端位置決め部材の固定片が固定され、この下端位置決め部材の固定片から前方に突出するように設けられた位置決め片に、上下方向に長尺の複数枚の縦板の下端が載置されてこれら縦板が前記一壁面に沿うようにして固定され、これら縦板の上端部に架け渡されるようにして天板が固定された構造とされており、前記一壁面に隣接する他壁面に沿うようにして前記下端位置決め部材が更に固定され、この他壁面側の下端位置決め部材の位置決め片に、上下方向に長尺の他壁面側縦板の下端が載置されて該他壁面側縦板が前記他壁面に沿うようにして更に固定され、この他壁面側縦板の上端部に他壁面側天板が固定されるとともに該他壁面側天板の一側端部が前記一壁面側の天板の他壁面側端部に接続されるようにして固定された構造とされていることを特徴とする。
本発明においては、前記一壁面側の縦板の一枚が一側板とされて前記他壁面に一側面が沿うようにして固定され、この一側板の先端面及びこの先端面に対向する前記他壁面側縦板の一側面に両端面が当接されるとともに前記他壁面側の下端位置決め部材の位置決め片に下側面が載置されて前記他壁面に補強桟が更に固定された構造としてもよい。
また、本発明においては、前記他壁面に固定された補強桟と前記一側板とを略同厚さ寸法としてもよい。
【０００８】
また、上記目的を達成するために、本発明に係る玄関収納装置は、玄関スペースの一壁面に沿うように配設される上下方向に長尺の複数枚の縦板と、これら縦板の上端部に架け渡されるようにして固定される天板と、前記玄関スペースの土間から所定間隔を隔てて前記一壁面に沿うように配設される水平方向に長尺とされ、かつ前記一壁面に固定される固定片及びこの固定片から前方に突出するように設けられ前記縦板の下端が載置される位置決め片を有した下端位置決め部材と、前記複数枚の縦板の各対向側面に両端面が当接されるとともに前記下端位置決め部材の位置決め片に下側面が載置されて前記一壁面に固定される補強桟と、を備えていることを特徴とする。
また、上記目的を達成するために、本発明に係る玄関収納装置は、玄関スペースの一壁面に沿うように配設される上下方向に長尺の複数枚の縦板と、これら一壁面側の縦板の上端部に架け渡されるようにして固定される天板と、前記一壁面に隣接する他壁面に沿うようにして配設される上下方向に長尺の他壁面側縦板と、この他壁面側縦板の上端部に固定されるとともに一側端部が前記一壁面側の天板の他壁面側端部に接続されるようにして固定される他壁面側天板と、前記玄関スペースの土間から所定間隔を隔てて前記一壁面及び前記他壁面のそれぞれに沿うように配設される水平方向に長尺とされ、かつ前記各壁面に固定される固定片及びこの固定片から前方に突出するように設けられ前記一壁面側の縦板及び他壁面側縦板の下端が載置される位置決め片を有した下端位置決め部材と、を備えていることを特徴とする。
【発明の効果】
【０００９】
本発明に係る玄関収納固定構造及び玄関収納装置は、上述のような構成としたことで、玄関スペースの土間から間隔を隔てて見栄え良く固定することができるとともに構造の簡略化を図ることができる。
【図面の簡単な説明】
【００１０】
【図１】本発明の一実施形態に係る玄関収納装置の一例を模式的に示す一部を省略した概略分解斜視図である。
【図２】同玄関収納装置及び本発明の一実施形態に係る玄関収納固定構造の一例を模式的に示す概略斜視図である。
【図３】（ａ）は、図２におけるＸ１−Ｘ１線矢視に対応させた一部破断概略拡大縦断面図、（ｂ）は、図２におけるＸ２−Ｘ２線矢視に対応させた一部破断概略拡大縦断面図である。
【図４】（ａ）、（ｂ）は、同玄関収納装置及び同玄関収納固定構造の施工手順の一例をそれぞれ模式的に示す概略斜視図である。
【図５】（ａ）〜（ｃ）は、同施工手順をそれぞれ模式的に示す一部破断概略斜視図である。
【図６】（ａ）、（ｂ）は、同施工手順をそれぞれ模式的に示す一部破断概略斜視図である。
【発明を実施するための形態】
【００１１】
以下に本発明の実施の形態について、図面に基づいて説明する。
なお、一部の図では、他図に付している詳細な符号の一部を省略している。
また、以下の実施形態では、図２に示すＶ方向から見た状態を基準として、その方向等を原則的に説明する。
【００１２】
図１〜図６は、本実施形態に係る玄関収納装置及びこれを用いた玄関収納固定構造の一例を模式的に示す図である。
本実施形態に係る玄関収納装置１は、図１及び図２に示すように、住居等の建物の玄関スペース２に設置される。玄関スペース２は、図示は省略しているが、玄関出入口及び玄関フロアー（上り框）側にそれぞれ連通するように設けられ、その底面が玄関フロアーから段下がり状とされた土間（玄関土間）３によって区画されている。また、本実施形態では、玄関スペース２に、一壁面としての奥側壁面４と、この奥側壁面４に隣接する他壁面としての左側壁面５と、奥側壁面４に隣接する右側壁面６と、によって区画された玄関収納空間を設けた例を示している。本実施形態では、この玄関収納空間に、本実施形態に係る玄関収納装置１を配設した例を示している。
【００１３】
玄関収納装置１は、奥側壁面４に沿うように配設される複数枚の縦板１１，１２，１３，１３と、これら縦板１１，１２，１３，１３の上端部１１ｂ，１２ｂ，１３ｂ，１３ｂに架け渡されるようにして固定される天板（奥側天板）１４と、を備えている。
複数枚（図例では４枚）の縦板１１，１２，１３，１３は、上下方向に長尺な略矩形平板状とされており、奥側壁面４に対して略直交する方向（前後方向）に板幅方向を沿わせるようにしてそれぞれ配設される。つまり、これら複数枚の縦板１１，１２，１３，１３は、厚さ方向を左右方向に沿わせるようにして、かつ、それぞれの板幅方向奥側端部を奥側壁面４に沿わせるようにして配設される。これら複数枚の縦板１１，１２，１３，１３は、高さ寸法（長さ寸法）、板幅寸法（前後寸法）及び板厚寸法がそれぞれ略同寸法とされている。なお、これら各縦板１１，１２，１３，１３は、その高さ寸法が所望する寸法となるように適宜、施工現場において切断されるものとしてもよい。
【００１４】
本実施形態では、これら複数枚の縦板１１，１２，１３，１３のうちの一枚を、一側板（左側板）１１とし、この左側板１１の一側面（左側面）を左側壁面５に沿わせるようにして固定した例を示している。また、これら複数枚の縦板１１，１２，１３，１３のうちの他の一枚を、他側板（右側板）１２とし、この右側板１２の一側面（右側面）を右側壁面６に沿わせるようにして固定した例を示している。また、残余の二枚の縦板１３，１３を、これら左右の側板１１，１２間に配設される縦仕切板１３，１３とした例を示している。
これら複数枚の縦板１１，１２，１３，１３の互いに対向する対向側面１１ｃ，１２ｃ，１３ｃ，１３ｃには、棚板１５を受ける複数の棚受部が上下方向に沿って間隔を空けて設けられている。このような棚受部としては、各対向側面１１ｃ，１２ｃ，１３ｃ，１３ｃに設けられたダボ穴に挿入（圧入）されるダボ等としてもよい。
【００１５】
奥側天板１４は、左右方向に長尺な略矩形平板状とされており、奥側壁面４に対して略直交する方向（前後方向）に板幅方向を沿わせるようにして配設される。この奥側天板１４の板幅寸法（前後寸法）は、各縦板１１，１２，１３，１３の板幅寸法と略同寸法とされている。また、この奥側天板１４の長さ寸法（左右寸法）は、互いに対向する左右の壁面５，６間の寸法（間口寸法）に応じた寸法とされている。
この奥側天板１４は、その下面を各縦板１１，１２，１３，１３の各上端面に当接させてこれらに載置されるようにしてこれら各縦板１１，２，１３，１３の上端部１１ｂ，１２ｂ，１３ｂ，１３ｂに固定される。なお、この奥側天板１４は、その長さ寸法が上記間口寸法に応じた寸法となるように適宜、施工現場において切断されるものとしてもよい。また、複数枚の天板を接続具等によって間口方向に接続して奥側天板１４を構成する態様としてもよい。また、この奥側天板１４の板幅寸法を、各縦板１１，１２，１３，１３の板幅寸法よりも大きい寸法としてもよい。
【００１６】
また、玄関収納装置１は、玄関スペース２の土間３から上方に所定間隔を隔てて奥側壁面４に沿うように配設される水平方向に長尺の下端位置決め部材（奥側下端位置決め部材）１０を備えている（図４（ａ）も参照）。この奥側下端位置決め部材１０は、長さ寸法が互いに対向する左右の壁面５，６間の寸法（間口寸法）に応じた寸法とされている。なお、この奥側下端位置決め部材１０は、その長さ寸法が上記間口寸法に応じた寸法となるように適宜、施工現場において切断されるものとしてもよい。
この奥側下端位置決め部材１０は、奥側壁面４に固定される固定片１０ａと、この固定片１０ａから前方に突出するように設けられ、かつ各縦板１１，１２，１３，１３の下端１１ａ，１２ａ，１３ａ，１３ａが載置される位置決め片１０ｂと、を備えている。
【００１７】
これら固定片１０ａ及び位置決め片１０ｂは、それぞれ薄平板状とされており、一連に形成されている。また、本実施形態では、奥側下端位置決め部材１０は、これら固定片１０ａと位置決め片１０ｂとによって縦断面略Ｌ字状とされたアングル状とされている。図例では、固定片１０ａの上端縁から前方に向けて突出するように位置決め片１０ｂを設けた例を示している。
この奥側下端位置決め部材１０の配設位置は、各縦板１１，１２，１３，１３の下端１１ａ，１２ａ，１３ａ，１３ａが載置される位置決め片１０ｂの上面が、土間３から所定間隔を隔てて上方位置となるように配設するようにしてもよい。この所定間隔は、雨天や清掃等の際における土間３の水気の各縦板１１，１２，１３，１３への付着を抑制する観点等から適宜、設定可能である。例えば、この所定間隔を、３０ｍｍ〜２００ｍｍ程度としてもよい。
【００１８】
この奥側下端位置決め部材１０の位置決め片１０ｂの前後寸法（突出寸法）は、各縦板１１，１２，１３，１３の下端１１ａ，１２ａ，１３ａ，１３ａを安定的に載置し得る観点や、下側空間の使い勝手や見栄え等の観点から適宜、設定可能である。例えば、この位置決め片１０ｂの前後寸法を、１０ｍｍ〜５０ｍｍ程度としてもよく、図例では、２０ｍｍ程度とした例を示している。
また、奥側下端位置決め部材１０の固定片１０ａの上下寸法（幅寸法）は、釘やねじ等の固定止具７（図３（ａ）及び図４（ａ）参照）によって当該奥側下端位置決め部材１０を奥側壁面４に固定可能な寸法等としてもよい。例えば、この固定片１０ａの上下寸法を、１０ｍｍ〜５０ｍｍ程度としてもよく、図例では、２０ｍｍ程度とした例を示している。つまり、図例では、縦断面略Ｌ字状とされた固定片１０ａの上下寸法と位置決め片１０ｂの前後寸法とを略同寸法とした例を示している。このような構成とすることで、縦断面略Ｌ字状のいずれか一方の片部を固定片１０ａとし、その他方の片部を位置決め片１０ｂとすることができ、施工時等における取り扱い性を向上させることができる。
【００１９】
また、本実施形態では、玄関収納装置１は、図１に示すように、上記した複数枚の縦板１１，１２，１３，１３の各対向側面１１ｃ，１２ｃ，１３ｃ，１３ｃに両端面１６ａ，１６ａが当接される補強桟（奥側補強桟）１６を備えている。この奥側補強桟１６は、その下側面１６ｂが奥側下端位置決め部材１０の位置決め片１０ｂの上面に当接され、この位置決め片１０ｂに載置されて奥側壁面４に固定される。本実施形態では、左側板１１とこれに隣接する縦仕切板１３との間、二枚の縦仕切板１３，１３間及び右側板１２とこれに隣接する縦仕切板１３との間にそれぞれ奥側補強桟１６，１６，１６を設けた例を示している。
【００２０】
これら奥側補強桟１６，１６，１６は、縦断面略矩形状で長尺角柱状とされており、本実施形態では、その前後寸法（厚さ寸法）が奥側下端位置決め部材１０の位置決め片１０ｂの上面の前後寸法と略同寸法とされている（図３（ａ）参照）。これら奥側補強桟１６，１６，１６の厚さ寸法を、奥側下端位置決め部材１０の位置決め片１０ｂの上面の前後寸法以上とすることで、手前上方側から見た状態では、奥側下端位置決め部材１０の位置決め片１０ｂが目立ち難くなり、見栄えを向上させることができる。また、本実施形態では、これら奥側補強桟１６，１６，１６の厚さ寸法を、各縦板１１，１２，１３，１３の板厚寸法と略同寸法としている。
また、これら奥側補強桟１６，１６，１６の長さ寸法は、隣接する縦板間の寸法にそれぞれ応じた長さ寸法とされている。なお、これら奥側補強桟１６，１６，１６は、その長さ寸法が隣接する縦板間の寸法にそれぞれ応じた寸法となるように適宜、施工現場において切断されるものとしてもよい。また、これら奥側補強桟１６，１６，１６は、玄関収納装置１が備えている態様に限られず、施工現場等において適宜、調達されるものとしてもよい。
【００２１】
また、本実施形態では、玄関収納装置１は、縦仕切板１３，１３の奥側端部を奥側壁面４に固定する固定具１７を備えている。この固定具１７は、図２及び図３（ａ）に示すように、縦仕切板１３の一側面（対向側面）１３ｃに固定止具７によって固定される片部と奥側壁面４に固定止具７によって固定される片部とによって略Ｌ字状とされている。この固定具１７の各片部は、それぞれ薄平板状とされ、これら片部には、固定止具７の止具挿通孔がそれぞれ設けられている。
なお、この固定具１７は、例えば、図１に示すように、縦仕切板１３の奥側端部の上端部近傍部位及び下端部近傍部位にそれぞれ固定するようにしてもよい。
【００２２】
また、本実施形態では、玄関収納装置１は、図２及び図３（ａ）に示すように、縦仕切板１３，１３の奥側端部の略中央部位を奥側壁面４に固定する固定具１８と、奥側補強桟１６の両端部を縦板に固定する固定具１８，１８とを備えている（図６（ｂ）も参照）。これら固定具１８は、それぞれ略同様の構成とされており、固定止具７によってそれぞれの固定対象に固定される二つの片部を有した略Ｌ字状とされている。これら固定具１８の各片部には、固定止具７の止具挿通孔がそれぞれ設けられている。
なお、左側板１１の左側面を左側壁面５に沿わせるようにして固定する態様に代えて、その左側面側が開放空間とされている場合には、上記同様の固定具１７，１８によってその奥側端部を奥側壁面４に固定するようにしてもよい。また、右側板１２も同様に、その右側面側が開放空間とされている場合には、上記同様の固定具１７，１８によってその奥側端部を奥側壁面４に固定するようにしてもよい。つまりは、一側面を壁面に沿わせるようにして固定される縦板以外の縦板は、固定強度を向上させる観点等から、固定具１７，１８によってその奥側端部を奥側壁面４に固定するようにしてもよい。
【００２３】
また、本実施形態では、玄関収納装置１は、一側面を壁面に沿わせるようにして固定される縦板以外の縦板（縦仕切板１３，１３）の前下端角部に固定される端部キャップ１９を備えている。この端部キャップ１９は、図２に示すように、縦仕切板１３の前下端角部を受け入れる上方及び後方に向けて開口する凹部を設けた形状とされている。この端部キャップ１９は、その底面部に設けられた止具挿通孔を介して挿通された釘やねじ等の固定止具によって縦仕切板１３の下端１３ａに固定される。
このような端部キャップ１９を設けることで、土間３から浮くようにして配設される縦仕切板１３の前下端角部を保護することができる。また、この端部キャップ１９を合成樹脂系材料や緩衝性のある材料から形成されたものとすれば、収納物等が縦仕切板１３の前下端角部に接触した際等における収納物等の損傷等を抑制することもできる。
【００２４】
また、本実施形態では、玄関収納装置１は、奥側壁面４に隣接する左側壁面５に沿うように配設される他壁面側縦板２１，２２を備えている。本実施形態では、他壁面側縦板２１，２２を複数枚（図例では２枚）設けている。これら他壁面側縦板２１，２２は、上記した各縦板１１，１２，１３，１３と略同様の構成とされており、互いに対向する対向側面２１ｃ，２２ｃには、棚板２５を受ける複数の棚受部が上下方向に沿って間隔を空けて設けられている。
また、玄関収納装置１は、これら他壁面側縦板としての左奥側仕切板２１及び左手前側板２２の上端部２１ｂ，２２ｂに架け渡されるようにして固定される他壁面側天板としての左側天板２４を備えている。つまり、本実施形態では、玄関収納装置１は、図２に示すように、奥側壁面４及び左側壁面５に沿うようにして配設される平面視して略Ｌ字状の玄関収納装置１とされている。
【００２５】
左側天板２４は、奥側天板１４と略同様の構成とされており、その一側端部（奥側端部）２４ａが奥側天板１４の他壁面側端部（左側端部）１４ａに接続されるようにして固定される。本実施形態では、玄関収納装置１は、図１及び図２に示すように、これら天板１４，２４同士を接続する接続具２３を備えている。この接続具２３は、図１に示すように、略Ｚ字状とされ、奥側天板１４の左側端部１４ａの前端部と左側天板２４の奥側端部２４ａとに上記同様の固定止具によって固定され、これらを接続する構造とされている。
左手前側板２２は、左側天板２４の手前側端部２４ｂにその上端部２２ｂが固定されて、一側板とされる。左奥側仕切板２１は、その奥側面２１ｄと上記した左側板１１の先端面（前端面）１１ｄとの間に所定間隔を隔てるようにして、左側天板２４の長さ方向（前後方向）途中部位にその上端部２１ｂが固定されて、仕切板とされる。また、玄関収納装置１は、これら左奥側仕切板２１及び左手前側板２２の左側壁面５側の端部を左側壁面５に固定する上記同様の固定具１７，１８及び上記同様の端部キャップ１９を備えている。
【００２６】
また、玄関収納装置１は、左側壁面５に沿うようにして固定される他壁面側の下端位置決め部材としての左側下端位置決め部材２０を備えている。この左側下端位置決め部材２０は、上記した奥側下端位置決め部材１０と略同様の構成とされており、図１に示すように、奥側端部を奥側下端位置決め部材１０の左側端部に当接させるようにして配設される。この左側下端位置決め部材２０の長さ寸法は、奥側下端位置決め部材１０（または奥側壁面４）から左手前側板２２までの前後寸法に応じた寸法とされている。なお、この左側下端位置決め部材２０は、上記同様、その長さ寸法が上記寸法に応じた寸法となるように適宜、施工現場において切断されるものとしてもよい。
この左側下端位置決め部材２０の位置決め片２０ｂには、上記同様、左奥側仕切板２１及び左手前側板２２の下端２１ａ，２２ａがそれぞれ載置される。なお、この左側下端位置決め部材２０を左側壁面５に固定した後に、この左側下端位置決め部材２０の位置決め片２０ｂ及び奥側下端位置決め部材１０の位置決め片１０ｂに、上記した左側板１１の下端１１ａを載置する態様としてもよい。
【００２７】
また、玄関収納装置１は、これら左奥側仕切板２１及び左手前側板２２の各対向側面２１ｃ，２２ｃに両端面２６ａ，２６ａが当接される補強桟（左手前側補強桟）２６を備えている。また、玄関収納装置１は、左奥側仕切板２１の奥側面２１ｄ及び左側板１１の前端面１１ｄに両端面２７ａ，２７ａが当接される補強桟（左奥側補強桟）２７を備えている。これら左手前側補強桟２６及び左奥側補強桟２７は、上記した奥側補強桟１６と略同様の構成とされており、厚さ寸法が、各縦板１１，１２，１３，１３，２１，２２の板厚寸法とそれぞれ略同寸法とされている（図３（ｂ）参照）。また、これら左手前側補強桟２６及び左奥側補強桟２７は、上記同様、それぞれの下側面２６ｂ，２７ｂが左側下端位置決め部材２０の位置決め片２０ｂの上面に当接され、この位置決め片２０ｂに載置されて左側壁面５に固定される。
【００２８】
また、左手前側補強桟２６は、その長さ寸法が左奥側仕切板２１及び左手前側板２２の各対向側面２１ｃ，２２ｃ間の寸法に応じた寸法とされている。また、左奥側補強桟２７は、その長さ寸法が左奥側仕切板２１の奥側面２１ｄ及び左側板１１の前端面１１ｄ間の寸法に応じた寸法とされている。なお、これら左手前側補強桟２６及び左奥側補強桟２７は、その長さ寸法が上記した各縦板の対向面間の寸法にそれぞれ応じた寸法となるように適宜、施工現場において切断されるものとしてもよい。また、これら左手前側補強桟２６及び左奥側補強桟２７は、上記した奥側補強桟１６と同様、玄関収納装置１が備えている態様に限られず、施工現場等において適宜、調達されるものとしてもよい。
【００２９】
なお、上記した各縦板１１，１２，１３，１３，２１，２２及び各天板１４，２４は、木質系材料や合成樹脂系材料を板状に加工した基材に、適宜、合成樹脂シートや突板等の表面化粧シートを貼着した構成としてもよい。または、各縦板１１，１２，１３，１３，２１，２２及び各天板１４，２４は、無垢の木材を板状に加工したものとしてもよい。
また、上記した各補強桟１６，２６，２７は、木質系材料や無垢の木材、合成樹脂系材料等から形成されたものとしてもよい。
また、上記した各下端位置決め部材１０，２０、各固定具１７，１８、端部キャップ１９及び接続具２３は、金属系材料や合成樹脂系材料等から形成されたものとしてもよい。
また、後記するように釘やねじ等の固定止具７が打ち込まれる（または捩じ込まれる）各壁面４，５，６を構成する壁材の裏面側の部位には、適宜の胴縁や桟部材等の下地を配設するようにしてもよい。
【００３０】
次に、上記構成とされた本実施形態に係る玄関収納装置１及びこれを用いた玄関収納固定構造の施工手順の一例について説明する。
まず、図４（ａ）に示すように、奥側下端位置決め部材１０を奥側壁面４に沿わせるようにして土間３から所定間隔を隔てて固定する。この際、奥側下端位置決め部材１０の位置決め片１０ｂの上面が水平となるように水準器（水平器）等を用いて適宜、調整して固定するようにしてもよい。また、この奥側下端位置決め部材１０の奥側壁面４への固定態様としては、複数の固定止具７によって固定するようにしてもよく、これに代えて、または加えて、粘着テープ等の粘着材や接着剤によって固定する態様としてもよい。
【００３１】
次いで、図４（ｂ）に示すように、これら左右の側板１１，１２の下端１１ａ，１２ａを奥側下端位置決め部材１０の位置決め片１０ｂの上面に当接させてこれら左右の側板１１，１２を位置決め片１０ｂに載置する。また、左右の側板１１，１２の各壁面５，６側の側面を各壁面５，６に沿わせるようにして左右の側板１１，１２を各壁面５，６に固定する。これら左右の側板１１，１２の各壁面５，６への固定態様としては、複数の固定止具７によって固定するようにしてもよく、これに代えて、または加えて、粘着テープ等の粘着材や接着剤によって固定する態様としてもよい。なお、これら左右の側板１１，１２の両方または一方の反対向側の側面側が上述のように開放空間である場合には、上記した固定具１７，１８等を用いて奥側壁面４に固定する態様としてもよい。
次いで、図５（ａ）に示すように、上記のように固定された左右の側板１１，１２の上端部１１ｂ，１２ｂに奥側天板１４を載置するようにして固定する。左右の側板１１，１２の上端部１１ｂ，１２ｂへの奥側天板１４の固定態様としては、固定止具７によって固定するようにしてもよい。なお、奥側天板１４の左右の側端部１４ａ，１４ｂに、固定止具７の下孔等を設けておくようにしてもよい。
【００３２】
次いで、図５（ｂ）、（ｃ）に示すように、各縦仕切板１３，１３の上端部１３ｂ，１３ｂを奥側天板１４に固定する。この際、図示は省略しているが、これら縦仕切板１３，１３の下端１３ａ，１３ａを奥側下端位置決め部材１０の位置決め片１０ｂに当接させてこれら縦仕切板１３，１３を位置決め片１０ｂに載置し、これら縦仕切板１３，１３を奥側壁面４に沿わせるようにして固定する。これら縦仕切板１３，１３の上端部１３ｂ，１３ｂの奥側天板１４への固定態様としては、固定止具７によって固定するようにしてもよい。また、縦仕切板１３，１３の上端部１３ｂ，１３ｂに、上方に向けて突出するダボを設け、このダボを、奥側天板１４の下面に設けられた下方に向けて開口するダボ穴に挿入（圧入）して、これら縦仕切板１３，１３と奥側天板１４とを仮組みする態様としてもよい。また、奥側天板１４の縦仕切板１３，１３が固定される部位に、固定止具７の下孔等を設けておくようにしてもよい。また、これら縦仕切板１３，１３の奥側端部を、上記した固定具１７，１８等を用いて奥側壁面４に固定する態様としてもよい。
【００３３】
上述のような構成により、本実施形態に係る玄関収納固定構造は、玄関スペース２の土間３から所定間隔を隔てて奥側壁面４に沿うようにして奥側下端位置決め部材１０の固定片１０ａが固定された構造とされている。また、玄関収納固定構造は、この奥側下端位置決め部材１０の位置決め片１０ｂに、複数枚の縦板１１，１２，１３，１３の下端１１ａ，１２ａ，１３ａ，１３ａが載置されてこれら縦板１１，１２，１３，１３が奥側壁面４に沿うようにして固定された構造とされている。また、玄関収納固定構造は、これら縦板１１，１２，１３，１３の上端部１１ｂ，１２ｂ，１３ｂ，１３ｂに架け渡されるようにして奥側天板１４が固定された構造とされている。
【００３４】
次いで、図６（ａ）に示すように、隣接する縦板（１１，１３）間に、棚板１５を配設する。この棚板１５は、上記した棚受部によって保持されるものとしてもよく、または、適宜の固定具によって両側の縦板（１１，１３）に固定されるものとしてもよい。
また、図６（ａ）、（ｂ）に示すように、適宜の長さ寸法とされた奥側補強桟１６の両端面１６ａ，１６ａを、隣接する縦板（１１，１３）の対向側面（１１ｃ，１３ｃ）に当接させる。また、この奥側補強桟１６の下側面１６ｂを、奥側下端位置決め部材１０の位置決め片１０ｂの上面に当接させてこの奥側補強桟１６を位置決め片１０ｂに載置し、この奥側補強桟１６を奥側壁面４に固定する。つまり、本実施形態に係る玄関収納固定構造は、複数枚の縦板１１，１２，１３，１３の各対向側面１１ｃ，１２ｃ，１３ｃ，１３ｃに、奥側補強桟１６，１６，１６のそれぞれの両端面１６ａ，１６ａが当接された構造とされている。また、これら奥側補強桟１６，１６，１６のそれぞれの下側面１６ｂが奥側下端位置決め部材１０の位置決め片１０ｂに載置されて、これら奥側補強桟１６，１６，１６が奥側壁面４に固定された構造とされている。
【００３５】
これら奥側補強桟１６，１６，１６の奥側壁面４への固定態様としては、固定止具７によって固定するようにしてもよく、これに代えて、または加えて、粘着テープ等の粘着材や接着剤によって固定する態様としてもよい。また、これら奥側補強桟１６，１６，１６の両端部を、上記した固定具１８，１８等を用いて各縦板に固定する態様としてもよい。
また、縦仕切板１３，１３の前下端角部に、上記した端部キャップ１９，１９をそれぞれ固定するようにしてもよい。
【００３６】
また、本実施形態のように、玄関収納装置１が、左側壁面５に沿うようにして配設される左側下端位置決め部材２０、左側の縦板２１，２２及び天板２４を備えている場合には、これらを上記と同様にして左側壁面５に固定した玄関収納固定構造としてもよい。つまり、上記同様にして、左側下端位置決め部材２０を左側壁面５に沿わせるようにして固定する。また、この左側下端位置決め部材２０の位置決め片２０ｂに、上記同様にして左側の各縦板２１，２２の各下端２１ａ，２２ａを載置し、これら左側の各縦板２１，２２を上記同様にして左側壁面５に沿わせるようにして固定する。また、これら左側の各縦板２１，２２の上端部２１ｂ，２２ｂに、左側天板２４を上記同様にして固定する。また、この左側天板２４の奥側端部２４ａを、奥側天板１４の左側端部１４ａに接続するようにして固定した構造としてもよい。
【００３７】
また、奥側壁面４側の左側板１１の前端面１１ｄ及びこの前端面１１ｄに対向する左奥側仕切板２１の奥側面２１ｄに、左奥側補強桟２７の両端面２７ａ，２７ａを当接させる。また、この左奥側補強桟２７の下側面２７ｂを、左側下端位置決め部材２０の位置決め片２０ｂに載置して、この左奥側補強桟２７を上記同様にして左側壁面５に固定した構造としてもよい。また、左側の縦板２１，２２の対向側面２１ｃ，２２ｃに、左手前側補強桟２６の両端面２６ａ，２６ａを当接させる。また、この左手前側補強桟２６の下側面２６ｂを、左側下端位置決め部材２０の位置決め片２０ｂに載置して、この左手前側補強桟２６を上記同様にして左側壁面５に固定した構造としてもよい。また、左側の各縦板２１，２２間に、上記同様にして棚板２５を配設した構造としてもよい。
なお、上記施工手順は一例に過ぎず、各部材の機能を阻害しない限りにおいて別手順で行うようにしてもよい。
【００３８】
上記構成とされた本実施形態に係る玄関収納装置１及びこれを用いた玄関収納固定構造によれば、玄関スペース２の土間３から間隔を隔てて見栄え良く固定することができるとともに構造の簡略化を図ることができる。
つまり、下端位置決め部材１０（２０）の位置決め片１０ｂ（２０ｂ）に玄関収納の複数枚の縦板１１，１２，１３，１３（２１，２２）の下端１１ａ，１２ａ，１３ａ，１３ａ（２１ａ，２２ａ）を載置してこれら縦板１１，１２，１３，１３（２１，２２）を各壁面４（５，６）に沿わせるようにして固定することができる。従って、土間３から間隔を隔てて固定されるこれら縦板１１，１２，１３，１３（２１，２２）の上下方向の位置決めを容易に行え、施工性を向上させることができる。
【００３９】
また、下端位置決め部材１０（２０）は、これら縦板１１，１２，１３，１３（２１，２２）の下端側に位置することとなるため、目立ち難くなり、見栄えを向上させることができる。また、縦板１１，１２，１３，１３（２１，２２）に切欠部等の加工をする必要がないので構造の簡略化を図ることができる。
また、玄関スペース２の土間３から浮かせるようにして各縦板１１，１２，１３，１３（２１，２２）が固定される構造である。従って、雨天や清掃等によって土間３に水気等がある場合にもこれら縦板１１，１２，１３，１３（２１，２２）の下端部の汚損等を抑制することができる。
【００４０】
また、本実施形態では、縦板１１，１２，１３，１３（２１，２２）の各対向側面１１ｃ，１２ｃ，１３ｃ，１３ｃ（２１ｃ，２２ｃ）間の下端位置決め部材１０（２０）の位置決め片１０ｂ（２０ｂ）に補強桟１６（２６）を載置して、この補強桟１６（２６）を壁面４（５）に固定した構造としている。従って、各縦板１１，１２，１３，１３（２１，２２）の板厚さ方向への位置ズレ等を防止することができ、各縦板１１，１２，１３，１３（２１，２２）の固定強度を向上させることができる。なお、このような補強桟１６（２６）を設けない構造としてもよい。
【００４１】
また、本実施形態では、左側下端位置決め部材２０、左側の縦板２１，２２及び天板２４を左側壁面５に沿わせるようにして更に固定した構造としている。従って、互いに隣接する奥側壁面４及び左側壁面５に沿わせるようにして言わばＬ型に玄関収納を設けることができる。また、奥側壁面４側及び左側壁面５側の各縦板１１，１２，１３，１３，２１，２２を上記同様、簡易な構造でありながらも見栄え良く固定することができる。
【００４２】
また、本実施形態では、左側壁面５に左側面が沿うようにして固定される左側板１１の前端面１１ｄ及びこの前端面１１ｄに対向する左奥側仕切板２１の奥側面２１ｄ間の左側下端位置決め部材２０の位置決め片２０ｂに左奥側補強桟２７を載置して、この左奥側補強桟２７を左側壁面５に固定した構造としている。従って、左奥側仕切板２１の板厚さ方向への位置ズレ等を防止することができ、この左奥側仕切板２１の固定強度を向上させることができる。
また、本実施形態では、この左奥側補強桟２７と、左側板１１とを略同厚さ寸法としている。従って、左側壁面５に固定された左奥側補強桟２７が左側板１１に連なるように設けられることとなり、見栄えをより向上させることができる。なお、この左奥側補強桟２７の厚さ寸法と左側板１１の厚さ寸法とを異なる寸法としてもよい。また、このような左奥側補強桟２７を設けない構造としてもよい。
【００４３】
なお、本実施形態では、各縦板１３，１３，２１，２２及び各補強桟１６，２６，２７を固定対象に固定する固定具１７，１８を設けた例を示しているが、これら固定具１７，１８の両方または一方を設けないようにしてもよい。
また、本実施形態では、各縦板１１，１２，１３，１３，２１，２２間に、収納部材として棚板１５，２５を配設した例を示しているが、このような棚板１５，２５に代えて、または加えて、収納部材として抽斗等を設けるようにしてもよい。この場合は、適宜、抽斗を出し入れ自在に支持するレール等を設けるようにすればよい。また、例えば、天板１４，２４の下方側や、棚板１５，２５の下方側等に、ハンガー等が掛けられるパイプ部材を配設する態様としてもよい。
【００４４】
また、各下端位置決め部材１０，２０の固定片１０ａ，２０ａに長手方向に沿って間隔を空けて当該固定片１０ａ，２０ａの厚さ方向に貫通する複数の止具挿通孔を設けておくようにしてもよい。または、固定片１０ａ，２０ａの前面に、固定止具７の捩じ込み（または打ち込み）の際の誘いとしてのＶ溝等を長手方向に沿って設けておくようにしてもよい。
また、各下端位置決め部材１０，２０としては、図例のような断面略Ｌ字状の各片部がそれぞれ略同寸法とされたものに限られず、断面略Ｌ字状の各片部が異なる寸法とされたものとしてもよい。また、各下端位置決め部材１０，２０としては、断面略Ｌ字状とされたものに限られず、各壁面４，５に固定される固定片１０ａ，２０ａと各縦板１１，１２，１３，１３，２１，２２の下端１１ａ，１２ａ，１３ａ，１３ａ，２１ａ，２２ａが載置される位置決め片１０ｂ，２０ｂとを備えたものであればよい。例えば、縦断面略倒Ｔ字状や略Ｈ字状、略Ｆ字状とされたものとしてもよく、前方または下方に向けて開口する縦断面略コ字状（Ｕ字状若しくはＣ字状）とされたものとしてもよく、更には、中空角筒（三角筒や四角筒）形状とされたものとしてもよい。
【００４５】
また、本実施形態では、左側下端位置決め部材２０、左側の縦板２１，２２及び天板２４を左側壁面５に沿わせるようにして更に固定した構造とした例を示しているが、これらを設けないようにしてもよい。
また、本実施形態では、左右の壁面４，５にそれぞれの一側面を沿わせるようにして左右の側板１１，１２を固定した例を示しているが、これら左右の側板１１，１２の両方または一方を設けない態様としてもよい。この場合は、左右の壁面４，５の両方または一方を収納空間の内側面として把握するようにしてもよい。
また、本実施形態では、奥側壁面４及び左右の壁面５，６によって区画された玄関収納空間に玄関収納装置１を配設した例を示しているが、これら左右の壁面５，６の両方または一方を設けていない玄関スペース２に玄関収納装置１を配設する態様としてもよい。
【符号の説明】
【００４６】
１        玄関収納装置
２        玄関スペース
３        土間
４        奥側壁面（一壁面）
５        左側壁面（他壁面）
１０      奥側下端位置決め部材（下端位置決め部材）
１０ａ    固定片
１０ｂ    位置決め片
１１      左側板（一側板、縦板）
１１ａ    下端
１１ｂ    上端部
１１ｃ    対向側面
１１ｄ    前端面（先端面）
１２      右側板（縦板）
１２ａ    下端
１２ｂ    上端部
１２ｃ    対向側面
１３      縦仕切板（縦板）
１３ａ    下端
１３ｂ    上端部
１３ｃ    対向側面
１４      奥側天板（天板）
１４ａ    左側端部（他壁面側端部）
１６      奥側補強桟（補強桟）
１６ａ    端面
１６ｂ    下側面
２０      左側下端位置決め部材（他壁面側の下端位置決め部材）
２０ａ    固定片
２０ｂ    位置決め片
２１      左奥側仕切板（他壁面側縦板）
２１ａ    下端
２１ｂ    上端部
２１ｄ    奥側面（一側面）
２２      左手前側板（他壁面側縦板）
２２ａ    下端
２２ｂ    上端部
２４      左側天板（他壁面側天板）
２４ａ    奥側端部（一側端部）
２７      左奥側補強桟（他壁面側の補強桟）
２７ａ    端面
２７ｂ    下側面
【図１】
0005849230.tif 000002
【図２】
0005849230.tif 000003
【図３】
0005849230.tif 000004
【図４】
0005849230.tif 000005
【図５】
0005849230.tif 000006
【図６】
0005849230.tif 000007